(57)【要約】【課題】給電効率に優れ取付けが容易な電気錠を提供することを目的とする。【解決手段】高周波電圧発生部４と、当該高周波電圧発生部４で生じた高周波電圧が供給される第１活電電極Ａ１とをドア枠３の側に設けると共に、ドア１の側に、ドア１を閉扉した際に第１活電電極Ａ１に近接対向して第１活電電極Ａ１から生じる電界を検出する第２活電電極Ａ２と、検出された電界に基づいて電力を蓄える蓄電ユニット６と、電力により駆動される錠部２と、を設け、ドア枠３の側から第１活電電極Ａ１および第２活電電極Ａ２を介してドア１の側に至る活電経路と、これとは別にドア枠３の側とドア１の側とを電気的に接続する受動経路を設けてある。【選択図】図１
2013096174.tif 000002
【特許請求の範囲】
【請求項１】
高周波電圧発生部と、当該高周波電圧発生部で生じた高周波電圧が供給される第１活電電極とをドア枠の側に設けると共に、
ドアの側に、
前記ドアを閉扉した際に前記第１活電電極に近接対向して前記第１活電電極から生じる電界を検出する第２活電電極と、
前記検出された電界に基づいて電力を蓄える蓄電ユニットと、
前記電力により駆動される錠部と、を設け、
前記ドア枠の側から前記第１活電電極および前記第２活電電極を介して前記ドアの側に至る活電経路と、これとは別に前記ドア枠の側と前記ドアの側とを電気的に接続する受動経路を設けてある電界結合式電気錠。
【請求項２】
前記受動経路が、
前記ドア枠の側に設けられた第１受動電極と、前記ドアを閉扉した際に前記第１受動電極に近接対向するよう前記ドアの側に設けられた第２受動電極とを備えている請求項１に記載の電界結合式電気錠。
【請求項３】
前記錠部を格納すると共に前記第２受動電極と電気的に接続された金属ケースを備えている請求項２に記載の電界結合式電気錠。
【請求項４】
前記ドア枠の側に於いて、前記錠部から出退する係止部を受け止める被係止部を備えたプレート部材と前記第１活電電極とを一体に構成すると共に、当該プレート部材の一部を前記第１受動電極として用い、前記ドアの側に於いて前記錠部および前記第２活電電極を格納する金属ケースを備え、当該金属ケースの一部を前記第２受動電極として用いる請求項２又は３に記載の電界結合式電気錠。
【請求項５】
前記第１活電電極が前記第１受動電極で覆われ、前記第２活電電極が前記第２受動電極で覆われている請求項２又は３に記載の電界結合式電気錠。
【請求項６】
前記ドア枠および前記ドアを金属で構成し、前記ドア枠の一部を前記第１受動電極として用いるとともに、前記ドアの一部を前記第２受動電極として用いている請求項２から５の何れか一項に記載の電界結合式電気錠。
【発明の詳細な説明】
【技術分野】
【０００１】
本発明は、非接触式の給電機構を備えた電気錠に関する。
【背景技術】
【０００２】
従来、ドアの電気錠を構成するのに、錠部をドアの側に設け、この錠部に駆動電流を供給する駆動電源をドア枠の側に設けて、ドア枠とドアとを非接触な状態に維持したまま錠部に電力を供給するものがある。
例えば、従来の電気錠として、以下の特許文献１に示す技術がある。
この電気錠は、ドアとドア枠又は壁などとの間の配線を不要とし、且つ、見栄えが良い電気錠の提供を目的とするもので、次のような構成を有する。
即ち、この電気錠は、ドアに設置された電気錠と、ドア枠又は壁等に設置され電気的な手段により電気錠の施錠や解錠を決定し電気錠を制御するための制御信号を出力する施解錠決定手段を備えている。電気錠の施錠並びに解錠は、電気錠制御部が、施解錠決定手段からの制御信号に基づいて行う。電気錠制御部と施解錠決定手段との間の信号伝送は信号伝送手段が行う。この信号伝送手段は、例えばドアとドア枠とに夫々設けられたコイル間の電磁誘導を利用して行われる。
この結果、ドアとドア枠又は壁などとの間に電源供給や信号伝送のための電気ケーブルを配線する必要がなく、電気ケーブルの断線事故を防止し、施解錠決定手段がドア枠や壁などに設置されているので、ドアに施解錠決定手段が設置されている場合に比べて、ドアの外観を良くし得るとの記載がある。
【先行技術文献】
【特許文献】
【０００３】
【特許文献１】特開平１０―２５９３５号公報  （図１、〔０００８〕段落）
【発明の概要】
【発明が解決しようとする課題】
【０００４】
上記従来の電気錠のごとく電磁誘導方式のものでは、ドア枠の側とドアの側とに互いに正確に位置合わせされた一対の誘導コイルを配置する必要がある。ただし、両者の位置関係が正確でない場合、給電効率が極端に悪くなるという欠点があった。
また、ドアやドア枠は金属で構成される場合も多いが、電磁誘導方式の場合、金属製のドアに磁場が吸収されてしまい、やはり給電効率が低下する。適用可能なドアの種類が制限されてしまうことも汎用性に欠けることとなって好ましくない。
以上のごとく、従来の非接触式の給電機構を備えた電気錠は解決すべき課題が多く存在する。
【０００５】
そこで本発明は係る従来の課題を解決し、給電効率に優れ取付けが容易な電気錠を提供することを目的とする。
【課題を解決するための手段】
【０００６】
（第１特徴構成）
本発明に係る電界結合式電気錠の特徴構成は、高周波電圧発生部と、当該高周波電圧発生部で生じた高周波電圧が供給される第１活電電極とをドア枠の側に設けると共に、ドアの側に、前記ドアを閉扉した際に前記第１活電電極に近接対向して前記第１活電電極から生じる電界を検出する第２活電電極と、前記検出された電界に基づいて電力を蓄える蓄電ユニットと、前記電力により駆動される錠部と、を設け、
前記ドア枠の側から前記第１活電電極および前記第２活電電極を介して前記ドアの側に至る活電経路と、これとは別に前記ドア枠の側と前記ドアの側とを電気的に接続する受動経路を設けた点にある。
【０００７】
（作用効果）
本構成のごとく電界結合式の給電機構を用いることで、第１活電電極と第２活電電極との間には必要な対向面積を確保できればよく、従来の電磁誘導方式における送受電コイルどうしの芯合わせのように厳密な位置合わせを強いられるものではない。よって、ある程度の建付け誤差が避けられないドアに対しても電界結合式の給電機構は適切に用いることができる。
また、第１活電電極と第２活電電極とは互いに対向する構造であれば良く、省スペースで且つ取り付けそのものが簡単になる。
さらに、電界は金属を過熱することがないから、金属で構成されるドア枠やドアに対しても電界給電方式の電気錠は適用可能である。
このように、本構成の電気錠であれば、給電効率に優れ、取付けが容易な電気錠を得ることができる。
【０００８】
（第２特徴構成）
本発明に係る電界結合式電気錠は、前記受動経路が、前記ドア枠の側に設けられた第１受動電極と、前記ドアを閉扉した際に前記第１受動電極に近接対向するよう前記ドアの側に設けられた第２受動電極とを備えて構成することができる。
【０００９】
（作用効果）
本構成のごとく、受動経路に第１受動電極と第２受動電極とを備えることで、ドアの開閉状態が判別できるようになる。即ち、ドアが閉じ状態にあるときは、活電経路に通電して活電電極間に電界が形成されると、それに付随して受動電極どうしの間にも電界が形成される。一方、ドアが開き状態にある場合には、活電電極どうしは離間するから電界結合は行われず、受動電極間にも電界は形成されない。よって、受動電極間の電界の形成状況をモニターすることで、ドア開閉状態をドア枠の側で判別することができる。
【００１０】
（第３特徴構成）
本発明に係る電界結合式電気錠は、前記錠部を格納すると共に前記第２受動電極と電気的に接続された金属ケースを備えて構成することができる。
【００１１】
（作用効果）
本構成のごとく、第２受動電極を錠部の金属ケースに電気的に接続することで、金属ケースのうち特にドア枠の側に向く部位などは受動電極の一部として機能させることができる。その結果、受動電極が備える電界検出機能をさらに向上させることができる。
【００１２】
（第４特徴構成）
本発明に係る電界結合式電気錠は、前記ドア枠の側に於いて、前記錠部から出退する係止部を受け止める被係止部を備えたプレート部材と、前記第１活電電極とを一体に構成すると共に、当該プレート部材の一部を前記第１受動電極として用い、前記ドアの側に於いて前記錠部および前記第２活電電極を格納する金属ケースを備え、当該金属ケースの一部を前記第２受動電極として用いることができる。
【００１３】
（作用効果）
このようにドア枠の側に装着する部材とドアの側に装着する部材とを夫々一体化することで、錠としての機能を有する錠部とプレート部材との位置合わせ、および、電力供給機能を有する第１活電電極と第２活電電極との位置合わせ、さらには、電界形成を判別する機能を有する第１受動電極と第２受動電極との位置合わせを同時に行うことができる。よって取付作業効率に優れた電気錠を得ることができる。
【００１４】
（第５特徴構成）
本発明に係る電界結合式電気錠は、前記第１活電電極を前記第１受動電極が覆い、前記第２活電電極を前記第２受動電極が覆うように構成することができる。
【００１５】
（作用効果）
本構成のごとくドア枠の側及びドアの側の夫々の部位に於いて、活電電極が受動電極に覆われることで、活電電極に外乱が及ぶのを有効に防止することができる。この結果、電界強度が強く維持されて給電効率に優れた電気錠を得ることができる。
【００１６】
（第６特徴構成）
本発明に係る電界結合式電気錠は、前記ドア枠および前記ドアを金属で構成し、前記ドア枠の一部を前記第１受動電極として用いるとともに、前記ドアの一部を前記第２受動電極として用いることができる。
【００１７】
（作用効果）
本構成のごとく、受動電極をドア枠の全体あるいはドアの全体で構成することで、受動電極の面積を非常に大きく確保することができる。このため、ドアとドア枠の側に設けた活電電極を広い範囲で覆うこととなり、外部にノイズ源がある場合でもノイズの影響が大幅に低減される。よって、給電特性が非常に安定した電気錠を得ることができる。
【図面の簡単な説明】
【００１８】
【図１】第１実施形態に係る電界結合式電気錠の概要を示す斜視図。
【図２】給電ユニットの概要を示す説明図。
【図３】第１実施形態の電気錠の等価回路を示す説明図。
【図４】第２実施形態に係る電界結合式電気錠の概要を示す斜視図。
【図５】第２実施形態の電気錠の等価回路を示す説明図。
【図６】第３実施形態に係る電界結合式電気錠の概要を示す斜視図。
【発明を実施するための形態】
【００１９】
〔第１の実施形態〕
（概要）
本発明に係る第１の実施形態を図１乃至図３を用いて説明する。
本発明に係る電界結合式電気錠Ｋ（以下、単に「電気錠」と称する）は、ドア１に設けた錠部２に対してドア枠３の側から電力を供給して開閉動作させるものである。電力の供給は、互いに対向配置した一対の電極間に高周波電圧を印加することで発生する電界を利用する。この方式は、従来から存在する、例えば、対向配置させた一対のコイルを用いる電磁誘導方式の電気錠とは給電の仕組みや装置構成が全く異なる。
【００２０】
本実施形態に係る電気錠Ｋの構成を図１に示す。併せて、当該電気錠Ｋの構成を示すブロック図を図２に示す。ドア枠３の側には、高周波電圧発生部４と第１活電電極Ａ１とを有する送電ユニットＵ１を設けてある。高周波電圧発生部４は、通常の家庭用交流電流などを用いてさらに周波数の高い高周波電圧を発生させるものである。第１活電電極Ａ１は、この高周波電圧発生部４で生成した高周波電圧をドア１の側に供給する電極である。
【００２１】
ドア１の側には、電力によって駆動される錠部２と、前記第１活電電極Ａ１からの電力を錠部２に伝達する第２活電電極Ａ２を有する受電ユニットＵ２が設けられている。受電ユニットＵ２としては、主に、前記第２活電電極Ａ２と、この第２活電電極Ａ２で受け取った交流電圧を直流に変換するＡＣ／ＤＣコンバータ５と、電力を蓄える蓄電ユニット６とを備えている。
尚、錠部２とは、主に施錠・解錠に際して錠部２の側に設けた係止部７を作動させるモータやドアノブ８等の機構部を含むユニット全体をいう。ドア枠３の側には、錠部２の側から突出した係止部７を受け止める被係止部９が設けてあるが、広義においてはドア枠３の側の部材も含めて錠部２という。
【００２２】
(活電電極)
ドア枠３の側の送電ユニットＵ１からドア１側の受電ユニットＵ２に至る給電経路を活電経路１０という。一方、これと並行してドア枠３の側とドア１の側とを電気的に接続する経路を受動経路１１という。
ここで説明する活電電極は、上記活電経路１０の一部を構成する。活電電極には、ドア枠３の側に設けた第１活電電極Ａ１と、ドア１の側に設けた第２活電電極Ａ２とがある。図１に示すごとくこれら活電電極は、所定面積の平板状の部位を有する。第１活電電極Ａ１と第２活電電極Ａ２との間には、活電経路１０に高周波電圧を印加した場合に極性の異なる電界が交互に発生する。この電界の強さに応じてドア１の側に電力が供給される。よって、第１活電電極Ａ１および第２活電電極Ａ２の対向面積は、供給する電力の大きさ等に応じて適宜変更することが可能である。
【００２３】
電界結合方式では、活電電極どうしの対向面がある程度確保できていれば、従来の電磁誘導方式の電磁コイルのごとく双方の位置合わせを厳密に行う必要はない。ただし、双方の活電電極どうしを正確に位置合わせすることは両電極間の給電効率の良否に影響する。よって、双方の電極は極力正確に位置合わせするのが望ましい。
また、一方の活電電極を大きく形成することも可能である。しかし、両活電電極間に形成される電界の強さは小さい方の電極面積で決定されるから、位置合わせが正確になされるならば一方の電極面積を敢えて大きくする必要はない。
【００２４】
（受動電極）
第１活電電極Ａ１と第２活電電極Ａ２との間で電界結合を形成するためには、これら活電経路１０と並行して受動経路１１を形成しなければならない。図１には、受動経路１１の一部を構成する受動電極を示してある。ここでは、受動電極として、ドア枠３の側に設ける第１受動電極Ｂ１と、ドア１の側に設ける第２受動電極Ｂ２とを備えた例を示す。図１では、第１受動電極Ｂ１および第２受動電極Ｂ２は、互いに対向近接配置された第１活電電極Ａ１と第２活電電極Ａ２とを対向方向外側から挟むように配置してある。また、第１受動電極Ｂ１と第２受動電極Ｂ２とは、第１活電電極Ａ１あるいは第２活電電極Ａ２とほぼ同じ大きさに形成してある。
【００２５】
受動電極は、主には、活電経路１０に高周波電圧を印加した際に、電界結合が確実に発生しているか否かを検知する検知機能を有する。活電電極間に電界が形成されると、それに付随して受動電極間にも電界が形成される。よって、この受動電極間の電圧をモニタすることで、活電電極間で電界が形成されたか否か、即ち、ドア１が閉じ状態にあるか開き状態にあるかをドア枠３の側で判別することができる。
【００２６】
尚、受動電極の大きさは、図１のごとく活電電極と必ずしも同じ大きさである必要はない。受動電極の大きさは例えば以下の観点から適宜決定することができる。
【００２７】
一つは、形成される電界の安定性の観点である。受動電極は面積が広いほど第１受動電極Ｂ１と第２受動電極Ｂ２との間に形成される電界は強くなる。よって、ある程度の面積を有することで上記電界発生の検知機能が向上する。また、面積が大きい分、双方の受動電極を離間させても良いから、ドア１の電気錠Ｋを構成する場合にはドア１の建付け誤差の吸収範囲が広くなって好ましい。
【００２８】
もう一つは活電電極のシールド効果の観点である。図１に示すごとく、第１受動電極Ｂ１および第２受動電極Ｂ２は、第１活電電極Ａ１と第２活電電極Ａ２とを挟む状態に配置してある。これにより、双方の活電電極にノイズが載るのを防止している。この点においては、夫々の受動電極は、近接して配置される活電電極よりも大きなものであるとノイズの遮蔽効果が高まって好ましい。
【００２９】
さらに、シールド効果を高めるためには、例えば、図１において、第１受動電極Ｂ１あるいは第２受動電極Ｂ２を格納しているケース１２を金属製とし、夫々の受動電極とケース１２とを電気的に連通させる。これにより、第１活電電極Ａ１あるいは第２活電電極Ａ２は、略直方体をしたケース１２の一方面に露出し、これを取り囲む他の五面はケース１２の金属表面が覆うこととなる。本構成とすることで、夫々の活電電極に周囲からのノイズが載るのを効果的に阻止することができる。この形態では、ケース１２の底面、即ち、ドア枠３に対向する二面のうちドア枠３から遠い側の面が受動電極となり、施錠解錠の状態を判別するセンサとして機能する。また、当該底面を含む五つの面、換言すれば、第２活電電極Ａ２を有するドア枠３の側に向く面を除く五つの面は、第２活電電極Ａ２に対するノイズ遮断機能を発揮することとなる。
【００３０】
（蓄電ユニット）
図１に示すごとくドア１の側には蓄電ユニット６を設けてあり、この蓄電ユニット６に対してドア枠３の側から電力を供給して蓄電ユニット６を充電する。例えば、ドア枠３の側に設けた図外の１００Ｖ交流電源からドア１の側に電力を供給し、ＡＣ／ＤＣコンバータ５を介して交流を直流に変換したのち蓄電ユニット６に電力を蓄える。この蓄電は、ドア１が閉じ状態にあるとき、即ち、第１活電電極Ａ１と第２活電電極Ａ２とが対向位置にあるときに行われる。
【００３１】
蓄電ユニット６に蓄えられた電力は、例えばドア１を開く際のモータ駆動に用いられる。解錠操作は、例えば錠部２に設けた操作ボタン１３により行う。解錠動作によって蓄電ユニット６の電力が消費されても、順次、ドア枠３の側から電力が供給されるので、蓄電ユニット６は常に満充電状態を保つことができる。蓄電手段としては、充放電可能な二次電池やコンデンサユニットなどを用いることができる。
【００３２】
（錠部）
本実施形態に係る錠部２は、図１に示すごとく、送電ユニットＵ１および受電ユニットＵ２に隣接して設けてある。当該錠部２のケース１２は金属で構成してある。この錠部２は受電ユニットＵ２の金属製のケース１５に電気的に接続しておく。これにより、ケース１２のうち特にドア枠３の側に向く部位などは受動電極の一部として機能するから、受動電極が備える電界検出機能とシールド機能とがさらに向上する。
【００３３】
（実施例）
本発明の電気錠Ｋは具体的には以下のように実施することができる。第１・第２活電電極Ａ１，Ａ２および第１・第２受動電極Ｂ１，Ｂ２として、ドアの厚みに収まる幅の金属プレートを用い、これを図１に示すごとく、平面方向が互いに平行となるように四枚のプレートを配置した。
これらのうち、ドア枠３の側の第１受動電極Ｂ１は、ドア枠３に固定されて被係止部９としての孔部を備えたプレート部材１４に電気的に接続した。一方、ドア１の側の第２受動電極Ｂ２は、錠部２の金属ケース１２に電気的に接続した。
【００３４】
電源として例えば一般家庭用の１００Ｖ交流電源をスイッチング素子を用いた高周波電圧発生部４で変換し、高周波・高電圧を第１活電電極Ａ１と第２活電電極Ａ２との間に発生させて電界結合状態とした。この周波数および電圧を調節することにより、ドアとドア枠との間の隙間（約８ｍｍ）を電力伝送するのに最適な制御を行った。
【００３５】
高周波電圧発生部４からは、第１活電電極Ａ１に対して常に或いは定期的に高周波の電圧が印加される。よって、ドア１が閉じ状態にある場合には、受動電極の側でも電界が周期的に変化する。逆に、ドア１が開き状態にある場合には、活電電極どうしあるいは受動電極どうしが離間するから、夫々の間の部位に電界は発生しない。よって、電圧の周期的変化の有無を送電ユニットＵ１の側でモニタすることでドア１の開閉状態を判別することができる。
【００３６】
〔第１の別実施形態〕
上記実施形態のごとく、受動経路１１に受動電極を備えた電気錠Ｋであれば、通電回路が確実に確保できるから木製のドア１にも適用可能である。しかし、図４、図５に示すごとく、ドア１が金属製の場合には、上記受動電極は必ずしも必要ではない。つまり、ドア枠３およびドア１が金属で構成される場合、ドア１を閉めた状態では、ドア枠３の端面とドア１の端面との間に互いに平行な対向面が形成される。この面を受動電極として利用する。よって、送電ユニットＵ１は第１活電電極Ａ１を備えると共に、上記第１の実施形態における第１受動電極Ｂ１に代えて、当該第１受動電極Ｂ１をに接続していた配線をドア枠３に接地する構成とすると好適である。
【００３７】
一方、ドア１の側でも、受電ユニットＵ２は第２活電電極Ａ２を備えると共に、上記第１の実施形態における第２受動電極Ｂ２に代えて、当該第２受動電極Ｂ２に接続していた配線をドア１に接地する構成とすると好適である。これらの等価回路を図５に示す。
【００３８】
このような構成によっても、電界結合式の電気錠Ｋを構成することができる。ただし、本構成の場合、ドア１の開閉状態をドア枠３の側で判別することは困難となる。つまり、受電電極として機能するドア枠３あるいはドア１は、その対向面の面積、あるいは、金属ボリュームが極めて大きい。そのため、活電電極どうしの間に形成された電界に対応して、これらドア枠３とドア１との間に電界が形成されたとしても、電圧変化の測定はドア枠３などの一箇所に於いてされるから、当該位置で測定できる電圧変化は極めて小さいものとなる。
【００３９】
ただし、このことは、外部からノイズが載るような場合には、ノイズの影響が希釈されるから、ドア枠３やドア１は非常に安定した受動電極となる。つまり、活電電極のシールド効果の高い電気錠Ｋを得ることができる。
【００４０】
〔第２の別実施形態〕
送受電ユニットＵ１，Ｕ２および錠部２の金属ケース１２等は、例えば図６に示すように、それらを一体に形成することができる。具体的には、ドア枠３の側に設ける第１活電電極Ａ１及び高周波電圧発生部４は金属ケース１２の中に併せて組み込み、この金属ケース１２に錠の被係止部９も一体形成する。ドア枠３の側の第１受電電極は、錠の被係止部９を構成するプレート状の部位１６をそのまま利用する。
【００４１】
一方、ドア１の側に設ける第２活電電極Ａ２及び錠部２、蓄電ユニット６等は共通の金属ケース１２に一体的に組み込む。第２受動電極Ｂ２は、金属ケース１２の側面のうち係止部７が出退する面、即ち、ドア枠３の側に対向する面部をそのまま利用する。
【００４２】
このようにドア枠３の側に装着する部材と、ドア１の側に装着する部材とを一体化することで、錠部２の係止部７と被係止部９との位置合わせと、送受電ユニットＵ１，Ｕ２の位置合わせとを同時に行えるため電気錠Ｋの取付効率が向上する。
【００４３】
〔第３の別実施形態〕
上記実施形態では、第１受動電極Ｂ１及び第２受動電極Ｂ２を設けることでドア１の開閉状態を判別できる例を示した。それに加え、例えば、以下の構成を備えることで、錠の施解錠状態をも判断することが可能となる。このような構成は集合住宅などに用いると便利な場合がある。
【００４４】
即ち、図２に示すごとく、例えば、ＡＣ／ＤＣコンバータ５と電気錠Ｋとの間に、電気錠Ｋに対して施解錠指令を出力可能な施解錠判別部１７を設けておく。この施解錠判別部１７に対して、ドア枠３の側に設けた施解錠管理端末１８から施錠指令や解錠指令を入力し、これにより、例えば第１活電電極Ａ１に入力する高周波電圧の周波数を変化させる。この周波数の変化を施解錠判別部１７が認識し、電気錠Ｋに施錠指令あるいは解錠指令を送信する。同時に、施解錠判別部１７は、当該判別部の内部に有する例えば図外のオンオフ回路を連続的に動作させる。このオンオフの切り替わりは受動電極間に生じる電界に影響し、施解錠管理端末１８でこれを検知して電気錠Ｋの施解錠状態を認識することができる。
【産業上の利用可能性】
【００４５】
本発明に係る電気錠は、建物のドアの他、自動車或いは電車のドア、更には冷蔵庫や自動販売機のドアなど錠部の施錠・解錠を電気的に行うものであれば何れのドアに対しても適用可能である。
【符号の説明】
【００４６】
１    ドア
２    錠部
３    ドア枠
４    高周波電圧発生部
６    蓄電ユニット
７    係止部
９    被係止部
１０  活電経路
１１  受動経路
１２  錠部の金属ケース
１４  プレート部材
１５  ケース
Ａ１  第１活電電極
Ａ２  第２活電電極
Ｂ１  第１受動電極
Ｂ２  第２受動電極
Ｋ    電気錠
【図１】
2013096174.tif 000003
【図２】
2013096174.tif 000004
【図３】
2013096174.tif 000005
【図４】
2013096174.tif 000006
【図５】
2013096174.tif 000007
【図６】
2013096174.tif 000008